(57)【要約】【課題】  冷却効率の良いサーバの冷却システムを提供する。【解決手段】  コンピュータを内蔵した略方形状の多数の筐体２がサーバラック１内に収容され、前記筐体２が上下に互いに離間された状態でサーバラック１に配列されたサーバの冷却システムに関する。前記サーバラック１内の上端部に取り付け可能な冷却ユニット３から、前記サーバラック１内における各筐体２の前面を流下する冷却風Ｗを供給することを特徴とする。冷却ユニット３は方形状のケース本体３０から突出するフランジ３１を有する。【選択図】        図１
2006301758.tif 000002
【特許請求の範囲】
【請求項１】
コンピュータを内蔵した略方形状の多数の筐体がサーバラック内に収容され、前記筐体が上下に互いに離間された状態でサーバラックに配列されたサーバの冷却システムであって、
前記サーバラック内の上端部に取り付け可能な冷却ユニットから、前記サーバラック内における各筐体の前面を流下する冷却風を供給することを特徴とするサーバの冷却システム。
【請求項２】
請求項１において、前記冷却ユニットは、
サーバラックの柱に形成された多数の取付孔に合致する貫通孔を有するフランジと、
略方形状のケース本体と、
前記ケース本体の後面または上面に設けられ、フィルタを有する冷却風の導入口と、
前記ケース本体の前部の下面に設けられた冷却風の吹出口と、
前記導入口から取り込んだ冷却風を前記吹出口から排気させて、前記サーバラック内における各筐体の前面を流下させるファンとを備えたサーバの冷却システム。
【発明の詳細な説明】
【技術分野】
【０００１】
本発明は、サーバラック内に複数段にわたって収容されたサーバの冷却システムに関するものである。
【背景技術】
【０００２】
一般に、たとえば、ネットサーバやメモリサーバを始めとする多数のコンピュータを必要とする企業では、該コンピュータを内蔵した筐体（以下、筐体およびコンピュータを含めて“サーバ”という）をサーバラック内に収容している。
前記サーバラックとしては、１９インチラックと呼ばれるラックが一般に使用されている。図４は、従来のサーバの冷却システムを示している。図４に示すように、かかるサーバラック１内には、多数の前記サーバ２が、上下に離間された状態で収容されている。
【０００３】
ここで、ラック内に複数のサーバ２を収納すると、各サーバ２の発熱により、サーバラック１内の温度が上昇し、サーバ２が熱暴走するおそれが生じる。したがって、サーバラック１内を冷却するため、ファンを用いた空冷による冷却システムが提案されている（たとえば、特許文献１参照）。
【特許文献１】特開２００４−５５８８３公報  （要約）
【発明の開示】
【発明が解決しようとする課題】
【０００４】
従来の冷却システムでは、サーバラック１の上部にファン１０１を設けており、サーバラック１内の熱を上方に放出している。
一方、サーバラック１の設置された室内には、空調機４が設けられている。空調機４は、一般的に天井に設けられており、かかる空調機４から冷却風Ｗが下方のサーバラック１に向って吹き出されている。そのため、空調機４から下方に吹き出された冷却風Ｗと、サーバラック１から上方に放出された熱風Ｗｕとが衝突し、乱流が生じて空気の流れが不規則になる。したがって、サーバラック１内の熱風Ｗｕがサーバラック１の外に十分に放出されず、サーバラック１内の冷却効率が低下する。よって、サーバラック１内の温度を十分に下げることができないおそれがある。
【０００５】
一方、サーバラック１内の温度を下げるために、空調機４からの冷却風Ｗの温度を大幅に下げると、電気代やＩＳＯによる省エネルギー推進に問題が生じる。また、同室内で働く従業者の健康への配慮から、室内温度の大幅な低下は避ける必要がある。
【０００６】
したがって、本発明の目的は、冷却効率の高いサーバの冷却システムを提供することである。
【課題を解決するための手段】
【０００７】
前記目的を達成するために、本発明のサーバの冷却システムは、コンピュータを内蔵した略方形状の多数の筐体がサーバラック内に収容され、前記筐体が上下に互いに離間された状態でサーバラックに配列されたサーバの冷却システムであって、前記サーバラック内の上端部に取り付け可能な冷却ユニットから、前記サーバラック内における各筐体の前面を流下する冷却風を供給することを特徴とする。
【発明の効果】
【０００８】
本発明によれば、サーバラック内の上端部に取り付けた冷却ユニットから冷却風を流下させるので、サーバラックの上方に設置された空調機からの冷却風を乱すことなく、スムースにサーバラック内に取り入れることができる。
ところで、サーバは、一般に、前面から冷気を取り入れ後方に排出する冷却方法を採用している。そのため、サーバの前面には、空気取入口が設けられている。したがって、冷却風は、サーバ前面の空気取入口からサーバ内を通ると共に、各サーバの間を通ってサーバの背面に流れ出る。したがって、冷却風は、サーバ内と、サーバの上下面からサーバを冷却する。その結果、高い冷却効果を得ることができる。
さらに、既存のサーバラックに冷却ユニットを取り付けるだけでよいので、低コスト、かつ、簡便にサーバラック内の冷却効率を高めることができる。
【発明を実施するための最良の形態】
【０００９】
以下、本発明の一実施例にかかるサーバの冷却システムを図面に従って説明する。
図１Ａに示すように、サーバラック１には、多数のコンピュータを内蔵した略方形状の筐体からなるサーバ２が収容されている。サーバ２は、上下に離間された状態で収容されている。
【００１０】
サーバラック１内の上端部には、冷却ユニット３が収容されている。
図２Ａに示すように、冷却ユニット３は、ケース本体３０およびフランジ３１を備えている。フランジ３１はケース本体３０の前面３ｆに設けられている。
ここで、図４に示すように、サーバラック１内には、サーバ２などの収容機器を取り付けるための柱１１が設けられている。図２Ａの二点鎖線で示すように、該柱１１には、多数の取付孔１２が設けられている。一方、前記フランジ３１には、柱１１に合致するピッチで貫通孔３２が設けられており、図示しないボルトを取付孔１２および貫通孔３２に通して、冷却ユニット３を柱１１に固定する。
【００１１】
図２Ｂに示すように、ケース本体３０の上面３０ｕおよび後面３０ｂには、空調機４からの冷却風Ｗの導入口３３，３５が設けられている。前記導入口３３，３５には、上面および後面フィルタ３４，３６が、それぞれ設けられている。
ケース本体３０の下面前方には、冷却風Ｗの吹出口３７が設けられている。吹出口３７は、ケース本体３０の幅方向Ｘに大きく形成されている。
【００１２】
ケース本体３０内には、図示しないファンと駆動装置（モータ）が設けられており、冷却ユニット３は、導入口３３，３５から取り込んだ冷却風Ｗを吹出口３７から排気させる。前述のように、図１Ａの冷却ユニット３は、サーバラック１の上端部に収容されているので、かかる排気により、サーバラック１内に収容された各サーバ２の前面２ｆを前記冷却風Ｗが流下される。
【００１３】
このように、冷却ユニット３が、サーバラック１の上端部に取り付けられ、該冷却ユニット３の上面３０ｕおよび後面３０ｂから取り入れた冷却風を、各サーバ２の前面２ｆに流下するので、サーバラック１の上方に設置された空調機４からの冷却風を、乱すことなくサーバラック１内にスムースに取り入れることができる。
また、各サーバ２の前面２ｆに冷却風を供給することにより、各サーバ２の前面２ｆに形成された空気取入口に冷却風を効率良く送り込むことができる。さらに、サーバ２の上面および下面にも冷却風が流れることにより、より一層、効率的にサーバ２を冷却することができる。
さらにまた、既存のサーバラック１に冷却ユニット３を取り付けるだけでよいので、低コスト、かつ、簡便にサーバラック１内の冷却効率を高めることができる。
【００１４】
冷却ユニット３内には、ケース本体３０内を通る冷却風Ｗの温度を計測する温度計が設けられている。図２Ａに示すように、冷却ユニット３の前部には、測定された当該温度が表示される温度表示器３８が設けられている。また、ファンが停止するなど何らかの異常が生じ、ケース本体３０内を通る冷却風Ｗの風量が小さくなった場合には、ブザー音などからなる警報が発せられる。
【００１５】
なお、図１Ｂに示すように、サーバラック１が、空調機４の冷却風Ｗの吹出口から離れて設置されている場合には、空調機４にルーバー４１を、別途、取り付け、冷却風Ｗをサーバラック１に導くようにしてもよい。
【００１６】
また、サーバラック１が、空調機の吹出口から遠く離れている場合には、図３Ａに示すように、サーバラック１の上部に冷却装置（ＦＡクーラー）５を載置してもよい。また、図３Ｂに示すように、別途、冷却装置６を設け、該冷却装置６のダクト６１を冷却ユニット３の後部の導入口３５（図２Ｂ）に接続してもよい。
【００１７】
以上のとおり、図面を参照しながら好適な実施例を説明したが、当業者であれば、本明細書を見て、自明な範囲で種々の変更および修正を容易に想定するであろう。
たとえば、前述の説明では、冷却風の導入口をケース本体の後面および上面の両方に設けたが、何れか一面のみに設けたものであってもよい。
したがって、そのような変更および修正は、請求の範囲から定まる本発明の範囲内のものと解釈される。
【産業上の利用可能性】
【００１８】
本発明は、複数段にわたってコンピュータを内蔵した筐体を収容するサーバラックに適用することができる。
【図面の簡単な説明】
【００１９】
【図１】本発明の一実施例にかかるサーバの冷却システムの用い方を示す概略側面図である。
【図２】冷却ユニットを示す概略斜視図である。
【図３】変形例を示すサーバの冷却システムの設置方法を示す概略側面図である。
【図４】従来のサーバの冷却システムを示す概略側面図である。
【符号の説明】
【００２０】
１：サーバラック
２：サーバ（筐体）
３：冷却ユニット
１１：柱
１２：取付孔
３０：ケース本体
３０ｂ：後面
３０ｕ：上面
３１：フランジ
３２：貫通孔
３３，３５：導入口
３７：吹出口
Ｗ：冷却風
【図１】
2006301758.tif 000003
【図２】
2006301758.tif 000004
【図３】
2006301758.tif 000005
【図４】
2006301758.tif 000006